(57)【要約】【課題】電話網を利用した通報端末とインターネットを利用した通報端末を利用可能な情報監視システムを提供することを目的とする。【解決手段】家庭内の情報を通報する通報端末１と、通報端末１とインターネット４を介して接続される中継サーバー２と、中継サーバー２と電話網５を介して接続され、家庭内の情報を監視する集中監視装置３とから構成し、情報をインターネット４から電話網５へ中継、転送する。これにより、情報の通報に電話網５を利用した場合でも、インターネット４を利用した場合も、同一の集中監視装置３で監視業務が可能となる。【選択図】図１
2005142814.tif 000002
【特許請求の範囲】
【請求項１】
家庭内の情報を通報する通報端末と、前記通報端末とインターネットを介して接続される中継サーバーと、前記中継サーバーと電話網を介して接続され、家庭内の情報を監視する集中監視装置とから構成され、家庭内の情報をインターネットと電話網を介して監視する情報監視システム。
【請求項２】
通報端末は、個々を識別するため付与されるＩＤを記録するＩＤ記録手段と、家庭内の事象を監視する監視手段と、前記監視手段が事象を検出した際、情報端末のＩＤおよび検出した事象を情報として、インターネットを介して通報する通報手段とを有し、中継サーバーは電話網を介して複数の集中監視装置と接続される転送手段と、前記通報端末が通報する情報を受信する受信手段と、前記受信手段が受信した情報を記憶する記憶手段と、前記記憶手段が記憶した情報を読み出し通報元端末のＩＤに基づき転送先の集中監視装置を選択する転送先選択手段と、前記転送手段に対し、前記転送先選択手段の選択した集中監視装置に向けて情報を転送するよう制御する制御手段とを有した請求項１に記載の情報監視システム。
【請求項３】
転送先選択手段は、受信手段が受信した通報端末のＩＤおよび事象に基づき、転送先の集中監視装置を選択する請求項２に記載の情報監視システム。
【請求項４】
インターネットを介して家庭内の事象を監視し通報を行う通報端末と接続される受信手段と、電話網を介して家庭内の情報を監視する集中監視装置と接続される転送手段とを備え、前記通報端末から受信した情報を前記集中監視装置に転送する中継サーバー。
【請求項５】
家庭内の情報を監視する集中監視装置と電話網を介して接続される中継サーバーにインターネットを介して接続される通報手段と、家庭内の事象を監視する監視手段とを備え、前記監視手段が事象を検出した際に、前記通報手段が前記中継サーバーを介して前記集中監視装置に情報を通報する通報端末。
【請求項６】
請求項１〜５のいずれか１項に記載の機能の少なくとも一部をコンピュータに実現させるためのプログラム。
【発明の詳細な説明】
【技術分野】
【０００１】
本発明は、家庭内などの情報を集中監視する情報監視システム、中継サーバーおよび通報端末に関するものである。
【背景技術】
【０００２】
従来、家庭内の情報を集中監視する情報監視システムがいくつか提案されている。これらの情報監視システムの内、電話網を利用した情報監視システムでは、通報端末と集中監視装置にモデムを備えることで通報を行っている（例えば、特許文献１参照）。
【０００３】
また、近年は家庭の情報インフラの変化に伴い、電話網を用いずインターネットを介した監視システムも提案されている（例えば、特許文献２参照）。
【特許文献１】特開平６−３５０７３２号公報
【特許文献２】特開２００１−３１２７８４号公報
【発明の開示】
【発明が解決しようとする課題】
【０００４】
ところが、近年、情報監視システムは、電話網を利用したシステムからインターネットを利用したシステムへの切り替えが進んでいる。
【０００５】
しかしながら、各家庭において通信インフラが異なるため、すべての通報端末を一斉に交換することはできない。従って、監視業務を行うためには、電話網を利用する通報端末と、インターネットを利用する通報端末用に、それぞれ対応した高価な集中監視装置を用意する必要がある。また、集中監視を行う監視員においては、双方の集中監視装置を使って監視業務を行う必要があり、緊急を要する監視業務に混乱を生じていた。
【０００６】
本発明は、前記従来の課題を解決するもので、情報の通報に電話網を利用した場合でも、インターネットを利用した場合も、同一の集中監視装置で監視業務を可能とする情報監視システムを提供することを目的とする。
【課題を解決するための手段】
【０００７】
前記従来の課題を解決するために、本発明の情報監視システムは、インターネットを利用する通報端末と、電話網を利用する集中監視装置とが連携できるよう中継サーバーを備えたものである。
【０００８】
これにより、電話網を利用する集中監視装置で、インターネットを利用する通報端末の通報を受信できるようになり、同一の集中監視装置で監視業務を可能とする情報監視システムを提供することが可能となる。
【発明の効果】
【０００９】
本発明の情報監視システムは、情報の通報に電話網を利用した場合でも、インターネットを利用した場合も、同一の集中監視装置で監視業務を可能となる。
【発明を実施するための最良の形態】
【００１０】
第１の発明は、家庭内の情報を通報する通報端末と、前記通報端末とインターネットを介して接続される中継サーバーと、前記中継サーバーと電話網を介して接続され、家庭内の情報を監視する集中監視装置とから構成され、家庭内の情報をインターネットと電話網を介して監視する情報監視システムとすることにより、電話網を利用する集中監視装置で、インターネットを利用する通報端末の通報を受信できるようになり、同一の集中監視装置で監視業務を可能とする情報監視システムを提供することが可能となる。
【００１１】
第２の発明は、特に、第１の発明において、通報端末は、個々を識別するため付与されるＩＤを記録するＩＤ記録手段と、家庭内の事象を監視する監視手段と、前記監視手段が事象を検出した際、情報端末のＩＤおよび検出した事象を情報として、インターネットを介して通報する通報手段とを有し、中継サーバーは電話網を介して複数の集中監視装置と接続される転送手段と、前記通報端末が通報する情報を受信する受信手段と、前記受信手段が受信した情報を記憶する記憶手段と、前記記憶手段が記憶した情報を読み出し通報元端末のＩＤに基づき転送先の集中監視装置を選択する転送先選択手段と、前記転送手段に対し、前記転送先選択手段の選択した集中監視装置に向けて情報を転送するよう制御する制御手段とを有したことにより、通報端末ごとに情報を転送する集中監視装置を選択できる情報監視システムを提供できる。
【００１２】
第３の発明は、特に、第２の発明において、転送先選択手段は、受信手段が受信した通報端末のＩＤおよび事象に基づき、転送先の集中監視装置を選択することにより、発生した事象に基づき情報を転送する集中監視装置を選択できる情報監視システムを提供できる。
【００１３】
第４の発明は、インターネットを介して家庭内の事象を監視し通報を行う通報端末と接続される受信手段と、電話網を介して家庭内の情報を監視する集中監視装置と接続される転送手段とを備え、通報端末から受信した情報を集中監視装置に転送する中継サーバーとすることにより、受信した情報を集中監視装置に転送する中継サーバーを提供することができる。
【００１４】
第５の発明は、家庭内の情報を監視する集中監視装置と電話網を介して接続される中継サーバーに、インターネットを介して接続される通報手段と、家庭内の事象を監視する監視手段とを備え、前記監視手段が事象を検出した際に、前記通報手段が中継サーバーを介して集中監視装置に情報を通報する通報端末とすることにより、集中監視装置に情報を通報する通報端末を提供することができる。
【００１５】
第６の発明は、第１〜第５のいずれか１つの発明における情報監視システム、中継サーバーおよび通報端末の少なくとも一部をコンピュータに実現させるためのプログラムとすることにより、汎用コンピュータやサーバーを用いて情報監視システム、中継サーバーおよび通報端末の一部あるいは全てを容易に実現することができる。また、記憶媒体に記憶したり、通信回線を用いてプログラムを配信したりすることでプログラムの配布やインストール作業が簡単にできる。
【００１６】
以下、本発明の実施の形態について、図面を参照しながら説明する。なお、この実施の形態によって本発明が限定されるものではない。
【００１７】
（実施の形態１）
図１は、本発明の実施の形態１における保安情報監視システムを示す。
【００１８】
図に示すように、通報端末１は、インターネット４を介して中継サーバー２に接続されている。中継サーバー２は、電話網５を介して集中監視装置３と接続されている。そして、通報端末１は、家庭内で保安事象の発生を検出するとインターネット４を介して、保安情報１ａを中継サーバー２に通報する。中継サーバー２は、保安情報１ａを受信すると、電話網５を介して保安情報２ａを集中監視装置３に転送する。集中監視装置３は、保安情報２ａを受信すると、当該保安情報の表示等を行うものである。
【００１９】
電話通報端末６は、電話網５を介して、集中監視装置３に接続されている。そして、電話通報端末６は、家庭内で保安事象の発生を検出すると電話網５を介して、保安情報６ａを集中監視装置３に通報する。集中監視装置３は、保安情報６ａを受信すると当該保安情報の表示等を行い、集中監視業務を行う監視員に対し、家庭内で保安事象の発生したことを知らせるものである。
【００２０】
以上のように、集中監視装置３は、電話網５を利用した電話通報端末６と、インターネット４を利用した通報端末１からの保安情報２ａ、６ａを受信することができる。
【００２１】
なお、電話網５としてはアナログ電話網の他、ＩＳＤＮを利用した通報端末であっても同様に保安情報監視システムを構成できる。
【００２２】
（実施の形態２）
図２は、本発明の実施の形態２における保安情報監視システムを示す。
【００２３】
図２において、通報端末１０−１、１０−２、１０−Ｎはインターネット４を利用したものである、集中監視装置３０−１、３０−２、３０−Ｎは電話網５を利用したものである。中継サーバー２０は、インターネット４を介して通報端末１０−１、１０−２、１０−ｎと接続されている。また、中継サーバー２０は電話網５を介して、集中監視装置３０−１、３０−２、３０−Ｎと接続されている。
【００２４】
図３は、本発明の実施の形態２における通報端末を示す。
【００２５】
図３において、通報端末１０は、個々を識別するため付与されるＩＤを記録しているＩＤ記憶手段１１と、家庭内の保安事象を監視する監視手段１２と、通報手段１３を有している。監視手段１２は、家庭内に設置される各種センサー類と接続され、保安事象の発生を検出する。例えば、非常ボタン、火災感知器、防犯センサー等と接続し、保安事象の発生を検出する。また、通信機能付きのガスメーターと接続し、ガスの異常な使用状況や遮断弁の開閉状況を検出することで、保安情報を通報することもできる。また、通報手段１３は、監視手段１２が保安事象の発生を検出した際、ＩＤ記憶手段１１からＩＤを読み出し、ＩＤおよび検出した保安事象を保安情報１０ａとして、インターネット４を介して中継サーバー２０に通報する。
【００２６】
図４は、本発明の実施の形態２における中継サーバーを示す。
【００２７】
図４において、中継サーバー２０は、受信手段２１、記憶手段２２、転送手段２３、転送先選択手段２４および制御手段２５を有している。
【００２８】
前記受信手段２１は、通報端末１０が通報する保安情報１０ａを、インターネット４を介して受信する。記憶手段２２は、保安情報１０ａを記憶する。転送手段２３は、保安情報２０ａを電話網５を介して集中監視装置３０に転送する。転送先選択手段２４は、内部に転送先選択テーブル２４０を有している。転送先テーブル２４０には、通報端末１０のＩＤと転送先の集中監視装置３０、および電話番号が登録されている。制御手段２５は、通報端末１０が通報してきた保安情報１０ａを、電話通報端末６の通報形式に合わせて保安情報２０ａに変換し、転送手段２３を制御して集中監視装置３０に転送する。
【００２９】
次に、保安情報を受信した際の動作を説明する。
【００３０】
受信手段２１が保安情報１０ａを受信すると、記憶手段２２はこの保安情報１０ａを記憶する。転送先選択手段２４は記憶手段２２から保安情報１０ａを読み出し、通報端末１０のＩＤを基に、内部の転送先選択テーブル２４０を参照して、転送先となる集中監視装置３０を選択する。制御手段２５は、記憶手段２２が記憶した保安情報１０ａを読み出し、保安情報２０ａに変換する。次に、制御手段２５は転送手段２３を制御して、転送先選択手段２４が選択した集中監視装置３０に向けて、保安情報２０ａを転送させる。転送手段２３は、制御手段２５の指示に従い選択された電話番号に発呼して、選択された集中監視装置３０に保安情報２０ａの転送を行う。
【００３１】
次に、転送先選択テーブル２４０について説明する。
【００３２】
まず、通報端末１０ごとに転送先の集中監視装置３０を選択する場合を説明する。
【００３３】
図５は、本発明の実施の形態２における転送先選択テーブルの第１の構成例を示す。転送先選択テーブル２４０には、通報端末１０のＩＤと転送先となる集中監視装置３０および電話番号が登録されている。図５の例では、通報端末１０―１、１０−２の保安情報は、集中監視装置３０−１へ転送し、また、通報端末１０−３、１０−４の保安情報は集中監視装置３０−２へ転送することを示している。
【００３４】
このように、通報端末１０ごとに転送先の集中監視装置３０を選択できるようにすることで、保安情報を転送する集中監視装置３０が通報端末１０ごとに異なった場合でも、中継サーバー２０を増設することなく、転送が可能となる。
【００３５】
次に、発生した保安事象ごとに転送先の集中監視装置３０を選択する場合を説明する。
【００３６】
図６は、本発明の実施の形態２における転送先選択テーブルの第２の構成例を示す。
【００３７】
図６に示す転送先選択テーブル２４０には、通報端末１０のＩＤと保安事象ごとに、転送先となる集中監視装置３０および電話番号が登録されている。図６では、ＬＰＧの集中監視を実施している場合を例に、保安事象として「ガス漏れ」と「ガス残量警告」の２つを監視するものとして説明する。
【００３８】
ＬＰＧの集中監視を実施している場合、「ガスの漏れ」は保安監視センターで、また、「ガス残量警告」はＬＰＧの配送センターで必要とされる情報である。保安センター、配送センターにはそれぞれ集中監視装置が設置されている。また、運用形態によって、保安センターと配送センターの集中監視装置を兼用する場合もある。図６の例では、通報端末１０―１、１０−２の「ガス漏れ」情報は、集中監視装置３０−１へ転送し、また、通報端末１０−３、１０−４の「ガス漏れ」情報は集中監視装置３０−２へ、転送することを示している。また、通報端末１０―１、１０−２の「ガス残量警告」情報は、「ガス漏れ」と同じ集中監視装置３０−１へ転送し、通報端末１０−３、１０−４の「ガス残量警告」情報は、「ガス漏れ」の転送先とは別の集中監視装置３０−３へ、転送することを示している。
【００３９】
このように、保安事象ごとに転送先の集中監視装置３０を選択できるようにすることで、保安情報を転送する集中監視装置が、保安事象ごとに異なった場合でも、中継サーバー２０を増設することなく、転送が可能となる。
【００４０】
なお、本実施の形態では保安情報監視システムを例にして説明したが保安情報に限るものでなく家庭内の事象（セキュリティや機器の遠隔操作、使用者や家屋の異常、ガス・電気・水道の異常を含む）であればよい。
【００４１】
なお、本実施の形態の各手段をコンピュータやマイコンを用いて情報監視システム、中継サーバーおよび通報端末の一部あるいは全てを実現するプログラムであってもよい。また、そのプログラムを記憶媒体に記憶したり通信回線を用いてプログラムを配信したりすることでプログラムの配布やインストール作業が簡単にできるメリットがある。
【産業上の利用可能性】
【００４２】
以上のように、本発明にかかる情報監視システム、中継サーバーおよび通報端末は、情報の通報に電話網を利用した場合でも、インターネットを利用した場合も、同一の集中監視装置で監視業務を可能とするものであり、家庭内の各種情報を集中監視するシステムなどに適用することができる。
【図面の簡単な説明】
【００４３】
【図１】本発明の実施の形態１における保安情報監視システムのブロック図
【図２】本発明の実施の形態２における保安情報監視システムのブロック図
【図３】同システムにおける通報端末のブロック図
【図４】同システムにおける中継サーバーのブロック図
【図５】同システムにおける転送先テーブルの第１の構成例を示す図
【図６】同システムにおける転送先テーブルの第２の構成例を示す図
【符号の説明】
【００４４】
１、１０、１０−１、１０−２、・・・、１０−Ｎ  通報端末
２、２０  中継サーバー
３、３０、３０−１、３０−２、・・・、３０−Ｎ  集中監視装置
４  インターネット
５  電話網
６  電話網を利用した通報端末
１１  ＩＤ記憶手段
１２  監視手段
１３  通報手段
２１  受信手段
２２  記憶手段
２３  転送手段
２４  転送先選択手段
２５  制御手段
【図１】
2005142814.tif 000003
【図２】
2005142814.tif 000004
【図３】
2005142814.tif 000005
【図４】
2005142814.tif 000006
【図５】
2005142814.tif 000007
【図６】
2005142814.tif 000008